(57)【要約】【課題】本発明は、血圧計に関し、特に携帯型の血圧計に適用して、日常生活下の血圧反応性を評価可能に血圧測定することができる。【解決手段】本発明は、センサ１４、１５により姿勢変化、身体活動を検出し、これら姿勢変化、身体活動を基準にして血圧を測定してセンサ１４、１５による検出結果と共に記録する。【選択図】        図１
2004223108.tif 000002
【特許請求の範囲】
【請求項１】
身体の姿勢変化及び又は身体活動を検出するセンサと、
血圧測定手段と、
前記センサによる検出結果に基づいて、前記姿勢変化及び又は身体活動を基準にして前記血圧測定手段の動作を制御し、前記血圧測定手段から血圧測定結果を取得する制御手段と、
前記血圧測定結果を対応する前記センサによる検出結果と共に記録する記録手段と
を備えることを特徴とする血圧計。
【発明の詳細な説明】
【０００１】
【発明の属する技術分野】
本発明は、血圧計に関し、特に携帯型の血圧計に適用することができる。本発明は、センサにより姿勢変化、身体活動を検出し、これら姿勢変化、身体活動を基準にして血圧を測定してセンサによる検出結果と共に記録することにより、日常生活下の血圧反応性を評価可能に血圧測定することができるようにする。
【０００２】
【従来の技術】
従来、健康管理用器具の１つである血圧計においては、高血圧を危険因子とする脳卒中等の疾病の予防に役立てられるようになされている。すなわちユーザーにおいては、血圧計で測定した最高血圧、最低血圧を例えばＷＨＯ（Ｗｏｒｌｄ  Ｈｅａｌｔｈ  Ｏｒｇａｎｉｚａｔｉｏｎ  ）の血圧区分により判定して高血圧等を判断し、又はこれら最高血圧、最低血圧が以前に測定した血圧値に対して異常に変化しているかを判断し、健康管理に役立てるようになされている。
【０００３】
このような血圧計においては、ユーザー、オペレータの操作により、又はタイマにより血圧を測定するようになされており、測定中は身体を静止して心臓の負荷を一定に保つことにより迅速かつ正確に血圧測定するようになされている。これに対して例えばトレッドミル検査においては、歩行によりこのような一定負荷を与えて血圧測定するようになされている。また、現在、一部の病院ではティルトテーブルを傾けて、寝ている患者の姿勢を変化させ、姿勢前後の血圧変化を検出して神経の調節機能を検査する方法が採用されている。
【０００４】
これに対して例えば特開２００２−１３６４８６号公報においては、このような血圧計による測定結果を処理して動脈硬化の程度を評価する方法が提案されるようになされている。
【０００５】
【特許文献１】
特開２００２−１３６４８６号公報
【０００６】
【発明が解決しようとする課題】
ところで脳卒中のリスクを判断する場合にあっては、日常生活における各種の状態変化に対する血圧の反応、又は日常生活における各種の状態変化及び負荷変化に対する血圧の反応（以下、日常生活下の血圧反応性と呼ぶ）を評価することが重要である。このためこのような日常生活下の血圧反応性を評価可能に血圧測定することが望まれ、このためには日常生活における身体活動、姿勢変化に対して血圧の反応を測定することが必要であると考えられる。
【０００７】
しかしながら従来の血圧計による血圧測定においては、このような日常生活下の血圧反応性については評価し得ず、僅かにトレッドミル検査による血圧測定において、定量化された運動量に対する血圧の上昇反応と回復反応とを評価し得るのみであった。
【０００８】
本発明は以上の点に鑑みてなされたものであり、日常生活下の血圧反応性を評価可能に血圧測定することができる血圧計を提案しようとするものである。
【０００９】
【課題を解決するための手段】
かかる課題を解決するため請求項１の発明においては、血圧計に適用して、身体の姿勢変化及び又は身体活動を検出するセンサと、血圧測定手段と、前記センサによる検出結果に基づいて、前記姿勢変化及び又は身体活動を基準にして前記血圧測定手段の動作を制御し、前記血圧測定手段から血圧測定結果を取得する制御手段と、前記血圧測定結果を対応する前記センサによる検出結果と共に記録する記録手段とを備えるようにする。
【００１０】
請求項１の構成により、血圧計に適用して、身体の姿勢変化及び又は身体活動を検出するセンサと、血圧測定手段と、前記センサによる検出結果に基づいて、前記姿勢変化及び又は身体活動を基準にして前記血圧測定手段の動作を制御し、前記血圧測定手段から血圧測定結果を取得する制御手段を備えるようにすれば、日常生活で発生する身体活動、姿勢変化に対して血圧の変化を測定することができ、これにより異常な反応をアラーム等により報知してリアルタイムにより測定結果の評価結果を通知することができる。またさらに前記血圧測定結果を対応する前記センサによる検出結果と共に記録する記録手段とを備えることにより、このような身体活動、姿勢変化に対する血圧の変化を後日評価することができ、これにより日常生活下の血圧反応性を評価可能に血圧測定することができる。
【００１１】
【発明の実施の形態】
以下、適宜図面を参照しながら本発明の実施の形態を詳述する。
【００１２】
（１）実施の形態の構成
図２は、本発明の第１の実施の形態に係る携帯型の血圧計を示すブロック図である。血圧計１は、日常生活下の血圧反応性を評価可能に血圧測定する。このためこの血圧計１は、被験者の上腕などに巻き付けるカフ２がエアチューブにより血圧計本体３に接続されて、カフ２と血圧計本体３とが一体に構成される。
【００１３】
なおこの血圧計１の構成において、血圧、脈拍の測定に係る構成は、既存のオシロメトリッ式血圧計と同一であり、これによりこの血圧計１は、通常の電子血圧計として使用して、事前に設定した時刻で自動的に血圧、脈拍を測定して、又はスタートスイッチ１０の操作により血圧、脈拍を測定して、測定した血圧値、脈拍値を液晶表示部１２に表示できるようになされている。このためこの血圧計１において、カフ２、ポンプ５、排気弁７、圧力センサ８は、コントロール部６と共に、血圧測定手段及び脈拍測定手段を構成するようになされている。
【００１４】
この血圧計１の血圧計本体３において、電源４は、乾電池で構成され、コントロール部６、液晶表示部１２、ポンプ５等に動作用の電源を供給する。
【００１５】
姿勢センサ１４は、被験者の姿勢を検出する傾斜センサである。姿勢センサ１４は、カフ２を被験者の所定位置に巻き付けた際に、少なくともこの被験者の臥位と、臥位以外の姿勢（例えば座位、立位である）とを検出可能に配置されるようになされ、これにより血圧計１では、被験者の姿勢変化を検出できるようになされている。
【００１６】
加速度センサ１５は、例えば３次元の加速度センサであり、これによりこの血圧計１では、被験者の体における加速度を検出して、この加速度により被験者における身体活動の程度を検出できるようになされている。
【００１７】
切換スイッチ１１は、この血圧計１の動作を切り換える操作子であり、この血圧計１においては、この切換スイッチ１１の操作により、通常の電子血圧計として使用できるように、また日常生活下の血圧反応性に係る血圧計として使用できるようになされ、またこれらの血圧測定に係る各種設定を受け付けることができるようになされている。スタートスイッチ１０は、測定の開始を指示する操作子である。
【００１８】
メモリ１６は、日常生活下の血圧反応性に係る血圧測定結果を、対応するセンサ１４、１５による検出結果と共に記録する記録手段であり、例えばメモリカードにより構成される。
【００１９】
コントロール部６は、血圧計１全体の動作を制御するコンピュータであり、血圧計に係る構成に加えて、日常生活下の血圧反応性に係る血圧測定の処理プログラムを保持するようになされている。なおこれらプログラムにあっては、この血圧計１の製造時、記録されるようになされている。
【００２０】
すなわちコントロール部６は、切換スイッチ１１の操作により、通常の血圧計としての動作が選択されると、スタートスイッチ１０の操作に応動してポンプ５等を駆動して圧力センサ８の出力信号Ｓ１を処理することにより、血圧、脈拍を測定し、測定結果を液晶表示部１２に表示する。
【００２１】
また同様のユーザーによる切換スイッチ１１の操作により、自動血圧測定の設定モードが選択されると、続く切換スイッチ１１の操作により、測定時間の設定を受け付ける。またユーザーにより血圧の自動測定が選択されると、内蔵のタイマの監視により、自動血圧測定の設定モードで設定された測定時刻になると、同様にして血圧脈拍を測定し、測定結果を表示し、また時間情報と共に測定結果をメモリ１６に記録する。
【００２２】
これに対して切換スイッチ１１の操作により、日常生活下の血圧反応性に係る設定が選択されると、コントロール部６は、所定のメニューを液晶表示部１２に表示し、切換スイッチ１１の操作によりこのメニューの選択を受け付ける。コントロール部６は、このメニューの選択によりユーザーが姿勢変化の設定を選択すると、姿勢判断の基準値の設定を受け付ける。ここで姿勢判断の基準値は、姿勢センサ１４の出力信号により測定を開始する判定基準値である。
【００２３】
これに対してユーザーが身体活動の強度設定を選択すると、身体活動の強度基準値の設定を受け付ける。ここで身体活動の強度基準値は、加速度センサ１５で検出される加速度から身体活動があったとして測定を開始する判定基準である。これに対してユーザーが身体活動の時間設定を選択すると、身体活動の時間基準値の設定を受け付ける。ここで身体活動の時間基準値は、加速度センサ１５で検出される加速度から継続した身体活動があったとして測定を開始する判定基準である。
【００２４】
コントロール部６は、日常生活下の血圧反応性に係る血圧測定において、図１に示す処理手順を実行して、これらの基準値により姿勢センサ１４、加速度センサ１５の出力信号を判定して血圧、脈拍を測定し、センサ１４、１５による検出結果と共に測定結果をメモリ１６に記録する。
【００２５】
すなわちコントロール部６においては、この処理手順を開始すると、ステップＳＰ１からステップＳＰ２に移り、姿勢センサ１４から出力される出力信号の変化を姿勢判断の基準値により判定することにより、姿勢変化の有無を判断する。ここで姿勢変化が検出されると、コントロール部６は、ステップＳＰ３に移り、ポンプ５等を駆動して圧力センサ８の出力信号Ｓ１を処理することにより、血圧、脈拍を測定する。また続くステップＳＰ４において、この測定結果を姿勢センサ１４、加速度センサ１５の対応する検出結果と共にメモリ１６に記録した後、ステップＳＰ２に戻る。これによりこの血圧計１では、例えば被験者が臥位から座位に姿勢を変化させた場合、さらには臥位から立位に姿勢を変化させた場合に、血圧、脈拍を測定して記録するようになされている。
【００２６】
これに対してステップＳＰ２で否定結果が得られると、コントロール部６は、ステップＳＰ２からステップＳＰ５に移る。ここでコントロール部６は、加速度センサ１５の出力信号を身体活動の強度基準値で判定することにより、被験者が体を動かしているか否か判断し、ここで否定結果が得られると、ステップＳＰ２に戻る。これに対してステップＳＰ５で肯定結果が得られると、コントロール部６は、ステップＳＰ６に移り、身体活動の時間基準値より長い時間の間、被験者が体を動かしているか否か判断する。なおこの判断においては、ステップＳＰ５及びステップＳＰ６でそれぞれ否定結果、肯定結果が得られるとタイマをリセットするようにし、このタイマによる時間経過を身体活動の時間基準値により判定して実行される。
【００２７】
コントロール部６は、このステップＳＰ６において否定結果が得られると、ステップＳＰ５に戻るのに対し、肯定結果が得られると、ステップＳＰ６からステップＳＰ３に移り、血圧、脈拍を測定してメモリ１６に記録する。これによりこの血圧計１では、被験者が一定以上の激しさにより一定時間以上身体を動かした場合に、血圧、脈拍を測定して記録するようになされている。
【００２８】
さらにコントロール部６は、この一連の処理手順により検出される血圧、脈拍が平常時の血圧、脈拍に比して異常な反応を示している場合、図示しないアラームにより警告を発し、これによりユーザーに注意を喚起する。具体的に、平常時の血圧、脈拍に比して最高血圧が異常に上昇した場合等である。これによりこの実施の形態では、リアルタイムでも日常活動、姿勢変化に対する血圧の変化を評価できるようになされている。
【００２９】
（２）実施の形態の動作
以上の構成において、この血圧計１は、切換スイッチ１１の操作によりユーザーが日常生活下の血圧反応性に係る血圧測定を選択すると、姿勢センサ１４により姿勢の変化が検出され、加速度センサ１５により被験者による体の動きが検出される。血圧計１では、このような姿勢の変化が一定の大きさ以上の場合、被験者の血圧、脈拍が自動的に測定され、この測定結果が測定の基準となった姿勢センサ１４による検出結果と共にメモリ１６に記録される。また被験者が一定の激しさにより一定時間以上体を動かした場合も、同様に血圧、脈拍が自動的に測定され、この測定結果が測定の基準となった加速度センサ１５による検出結果と共にメモリ１６に記録される。これによりこの血圧計１では、日常生活下の血圧反応性を評価可能に血圧測定する。
【００３０】
すなわちこの血圧計１によれば、このメモリ１６の記録を後日解析して、日常生活における身体活動、姿勢変化に対する血圧の反応を判断することができ、これにより脳卒中のリスクファクターを判定することができる。すなわちこのようにして記録される最高血圧と平常時の最高血圧との差が大きい場合、平時の血圧が低い場合でも、脳卒中のリスクファクターが高いと判断することができるのに対し、平時の血圧が高い場合でも、このようにして記録される最高血圧と平常時の最高血圧との差がそれほど大きくない場合、脳卒中のリスクファクターが低いと判断することができ、これにより平時の健康管理に役立てることができる。
【００３１】
これに対してユーザーによる切換スイッチ１１の操作により、血圧計１においては、このような血圧測定を開始する判定基準値の設定が受け付けられる。これによりこの血圧計１では、種々に異なる被験者の日常生活に適切に対応して、このような日常生活下の血圧反応性を評価可能に血圧測定することができる。
【００３２】
また切換スイッチ１１の操作により自動血圧測定が指示されると、内蔵のタイマの監視により、事前に設定された時刻で、血圧、脈拍を測定し、測定結果がメモリ１６に記録される。これによりこの血圧計１では、例えば起床時、就寝時等において、定期的に血圧を測定することができ、これによっても健康管理に役立てることができる。
【００３３】
（３）実施の形態の効果
以上の構成によれば、センサにより姿勢変化、身体活動を検出し、これら姿勢変化、身体活動を基準にして血圧を測定してセンサによる検出結果と共に記録することにより、日常生活下の血圧反応性を評価可能に血圧測定することができる。
【００３４】
（４）他の実施の形態
なお上述の実施の形態においては、加速度センサ、姿勢センサの出力信号をそれぞれ独立に判定して血圧、脈拍を測定する場合について述べたが、本発明はこれに限らず、加速度センサ、姿勢センサの出力信号を総合的に判定して血圧、脈拍を測定するようにしてもよい。このようにすれば座位、立位を識別して、これらの間における姿勢の変化によっても血圧、脈拍を測定することができる。
【００３５】
また上述の実施の形態においては、姿勢変化、身体活動により血圧、脈拍を測定する場合について述べたが、本発明はこれに限らず、姿勢変化のみで血圧、脈拍を測定するようにしてもよく、また身体活動のみで血圧、脈拍を測定するようにしてもよい。
【００３６】
また上述の実施の形態においては、姿勢変化、身体活動により単に血圧、脈拍を測定する場合について述べたが、本発明はこれに限らず、このようにして血圧、脈拍を測定した後、姿勢変化、身体活動が検出されなくなって一定時間経過して、改めて血圧、脈拍を測定するようにしてもよい。このようにすれば、例えば運動を終えた後の平時の血圧に変化するまでの身体の反応を判定することができる。
【００３７】
また上述の実施の形態においては、脳卒中のリスクファクターを判定する場合場合について述べたが、本発明はこれに限らず、脳梗塞等、他の種々の疾患のリスクファクターの判定に広く適用することができる。
【００３８】
また上述の実施の形態においては、血圧測定手段と脈拍測定手段とを一体に構成する場合について述べたが、本発明はこれに限らず、血圧測定手段と脈拍測定手段とを個別に構成してもよく、またＫ音式など他の検出方式を利用してもよい。
【００３９】
【発明の効果】
上述のように本発明によれば、センサにより姿勢変化、身体活動を検出し、これら姿勢変化、身体活動を基準にして血圧を測定してセンサによる検出結果と共に記録することにより、日常生活下の血圧反応性を評価可能に血圧測定することができる。
【図面の簡単な説明】
【図１】本発明の実施の形態に係る血圧計におけるコントロール部の処理手順の説明に供するフローチャートである。
【図２】本発明の実施の形態に係る血圧計を示すブロック図である。
【符号の説明】
１……血圧計、２……カフ、３……血圧計本体、４……電源、５……ポンプ、６……コントロール部、７……排気弁、８……圧力センサ、１１……切換スイッチ、１２……液晶表示部、１４……姿勢センサ、１５……加速度センサ、１６……メモリ
【図１】
2004223108.tif 000003
【図２】
2004223108.tif 000004